(57)【要約】【課題】カバーを取り外すときの変形を規制してカバーを容易に取り外すことができるようにする。【解決手段】弾性体よりなるカバー１０に複数の係合用爪を突設し、各係合用爪に隣り合わせて変形防止用突部１５を突設する。筐体本体２０に各係合用爪に対応させて複数の係合用凹部を凹陥し、各変形防止用突部１５に対応させて変形防止用凹部２５を凹陥する。カバー１０を引き剥がすときに、変形防止用突部１５の外側当接面１５ａを変形防止用凹部２５の内面（内側当接面２５ａ）に当接させて係合用爪の係合用凹部に食い込む方向の変形を規制する。【選択図】図６
2012234944.tif 000002
【特許請求の範囲】
【請求項１】
筐体本体にカバーを脱着可能に設けた筐体のカバー取付構造において、
上記カバーは弾性体よりなり、
上記カバーに突設した複数の係合用爪と、
上記筐体本体に上記各係合用爪に対応させて凹陥した複数の係合用凹部と、
上記カバーに上記各係合用爪に隣り合わせて突設した変形防止用突部と、
上記筐体本体に上記各変形防止用突部に対応させて凹陥した変形防止用凹部とを備え、
上記カバーを引き剥がすときに、上記変形防止用突部が上記変形防止用凹部の内面に当接して上記係合用爪の上記係合用凹部に食い込む方向の変形を規制するように構成されている
ことを特徴とする筐体のカバー取付構造。
【請求項２】
筐体本体にカバーを脱着可能に設けた筐体のカバー取付構造において、
上記カバーは弾性体よりなり、
上記カバーに凹陥した複数の係合用凹部と、
上記筐体本体に上記各係合用凹部に対応させて突設した複数の係合用爪と、
上記カバーに上記各係合用凹部に隣り合わせて凹陥した変形防止用凹部と、
上記筐体本体に上記各変形防止用凹部に対応させて突設した変形防止用突部とを備え、
上記カバーを引き剥がすときに、上記変形防止用凹部の内面が上記変形防止用突部に当接して上記係合用凹部の上記係合用突部に食い込む方向の変形を規制するように構成されている
ことを特徴とする筐体のカバー取付構造。
【請求項３】
請求項１又は２に記載の筐体のカバー取付構造において、
上記カバーは略矩形状であり、
上記カバーの一辺には、該一辺側から他辺側に向かって上記筐体から引き剥がす際に引っ掛ける引っ掛け部が形成され、
上記係合用爪又は係合用凹部は、上記カバーの一辺に垂直な一対の側辺に離散して配置されている
ことを特徴とする筐体のカバー取付構造。
【請求項４】
請求項３に記載の筐体のカバー取付構造において、
上記係合用爪は、上記側辺が互いに向き合う係合方向へ延びる鉤部を有し、
上記変形防止用突部と上記変形防止用凹部とは、それぞれ上記係合方向に対向する当接面を有する
ことを特徴とする筐体のカバー取付構造。
【請求項５】
請求項４に記載の筐体のカバー取付構造において、
上記カバーを上記筐体本体に装着した状態で、上記鉤部の先端と該先端に向かい合う上記係合用凹部の内面との隙間は、上記変形防止用突部の当接面と上記変形防止用凹部の当接面との隙間よりも広い
ことを特徴とする筐体のカバー取付構造。
【請求項６】
請求項３乃至５のいずれか１つに記載の筐体のカバー取付構造において、
上記変形防止用突部は、上記各係合用爪を挟み込むように上記一対の側辺に沿って配置され、
上記変形防止用凹部は、上記各係合用凹部を挟み込むように上記変形防止用突部に対応させて配置されている
ことを特徴とする筐体のカバー取付構造。
【請求項７】
請求項１乃至６のいずれか１つに記載の筐体のカバー取付構造を備えた携帯端末であって、
上記カバーは、電池を覆う電池蓋である
ことを特徴とする携帯端末。
【発明の詳細な説明】
【技術分野】
【０００１】
本発明は、筐体を覆うカバーの取付構造及びそれを備えた携帯電話機などの携帯端末に関するものである。
【背景技術】
【０００２】
従来より、携帯端末の電池等を覆うカバーの取付構造が知られている。例えば、特許文献１のように、筺体に電池を収納する収納凹部を設け、この収納凹部に設けた弾性係合片に電池を係合させ、収納凹部を電池蓋で覆った電池収納構造が知られている。この電池収納構造では、筐体の互いに対向する側壁に互いに対向する２対の突起が突設され、この２対の突起に対応するように、カバーの互いに対向する一対の側壁に係入孔が設けられている。
【先行技術文献】
【特許文献】
【０００３】
【特許文献１】特開２０００−２６０４０５号公報
【発明の概要】
【発明が解決しようとする課題】
【０００４】
しかしながら、従来の筐体のカバー取付構造では、カバーの一辺に設けた引っ掛け部に指を掛けてカバーを引き上げようとすると、樹脂製のカバーが、突起が係入孔にさらに食い込む方向に撓んで突起が外れにくくなってしまい、無理にカバーを外そうとすると、カバー等が破損するという問題があった。
【０００５】
本発明は、かかる点に鑑みてなされたものであり、その目的とするところは、カバーを取り外すときの変形を規制してカバーを容易に取り外すことができるようにすることにある。
【課題を解決するための手段】
【０００６】
上記の目的を達成するために、この発明では、係合爪の周辺にカバーの変形を防止する部分を設けた。
【０００７】
具体的には、第１の発明では、
筐体本体にカバーを脱着可能に設けた筐体のカバー取付構造において、
上記カバーは弾性体よりなり、
上記カバーに突設した複数の係合用爪と、
上記筐体本体に上記各係合用爪に対応させて凹陥した複数の係合用凹部と、
上記カバーに上記各係合用爪に隣り合わせて突設した変形防止用突部と、
上記筐体本体に上記各変形防止用突部に対応させて凹陥した変形防止用凹部とを備え、
上記カバーを引き剥がすときに、上記変形防止用突部が上記変形防止用凹部の内面に当接して上記係合用爪の上記係合用凹部に食い込む方向の変形を規制するように構成されている。
【０００８】
第２の発明では、上記前提において、
筐体本体にカバーを脱着可能に設けた筐体のカバー取付構造において、
上記カバーは弾性体よりなり、
上記カバーに凹陥した複数の係合用凹部と、
上記筐体本体に上記各係合用凹部に対応させて突設した複数の係合用爪と、
上記カバーに上記各係合用凹部に隣り合わせて凹陥した変形防止用凹部と、
上記筐体本体に上記各変形防止用凹部に対応させて突設した変形防止用突部とを備え、
上記カバーを引き剥がすときに、上記変形防止用凹部の内面が上記変形防止用突部に当接して上記係合用凹部の上記係合用突部に食い込む方向の変形を規制するように構成されている。
【０００９】
これらの構成によると、弾性体よりなるカバーを筐体本体から取り外すときに、カバーが撓んでも、変形防止用突部が変形防止用凹部の内面に当接して係合用爪の係合用凹部に食い込む方向の変形を規制するので、カバーが容易に外れる。
【００１０】
第３の発明では、第１又は第２の発明において、
上記カバーは略矩形状であり、
上記カバーの一辺には、該一辺側から他辺側に向かって上記筐体から引き剥がす際に引っ掛ける引っ掛け部が形成され、
上記係合用爪又は係合用凹部は、上記カバーの一辺に垂直な一対の側辺に離散して配置されている。
【００１１】
上記の構成によると、引っ掛け部に指等を掛けてカバーを筐体本体から引き剥がす方向に力を加えると、弾性体よりなるカバーが変形するが、変形防止用突部が変形防止用凹部の内面に当接して係合用爪が係合用凹部に食い込む方向の変形を規制するので、離散して設けた係合用爪が順番に係合用凹部から外れ、カバーが容易に外れる。
【００１２】
第４の発明では、第３の発明において、
上記係合用爪は、上記側辺が互いに向き合う係合方向へ延びる鉤部を有し、
上記変形防止用突部と上記変形防止用凹部とは、それぞれ上記係合方向に対向する当接面を有する。
【００１３】
上記の構成によると、カバーを引き剥がすときにカバーが撓んで鉤部が互いに近付く方向へ移動しようとしても、変形防止用突部が変形防止用凹部の内面に当接して係合用爪の係合用凹部に食い込む方向の変形を規制するので、鉤部が係合用凹部に食い込んで外れにくくなることはない。
【００１４】
第５の発明では、第４の発明において、
上記カバーを上記筐体本体に装着した状態で、上記鉤部の先端と該先端に向かい合う上記係合用凹部の内面との隙間は、上記変形防止用突部の当接面と上記変形防止用凹部の当接面との隙間よりも広い。
【００１５】
上記の構成によると、カバーを取り外すときにカバーが撓んでも、まず変形防止用突部の当接面と変形防止用凹部の当接面とが当接してそれ以上鉤部の先端が係合用凹部の内面に近付かないので、係合用爪が係合用凹部に食い込む方向の変形が効果的に防止される。
【００１６】
第６の発明では、第３乃至第５のいずれか１つの発明において、
上記変形防止用突部は、上記各係合用爪を挟み込むように上記一対の側辺に沿って配置され、
上記変形防止用凹部は、上記各係合用凹部を挟み込むように上記変形防止用突部に対応させて配置されている。
【００１７】
上記の構成によると、各係合用爪及び係合用凹部を挟み込むように一対の側片に沿って変形防止用突部及び凹部を設けたので、カバーを取り外すときにそれぞれの係合用爪が係合用凹部に食い込むのが確実に防止され、カバーが容易に取り外される。
【００１８】
第７の発明の携帯端末は、第１乃至第５のいずれか１つの発明のカバー取付構造を有し、上記カバーは、電池を覆う電池蓋とする。
【００１９】
すなわち、比重の高い電池を覆う電池蓋においては、係合用爪と係合用凹部との係合強度をある程度高くする必要があるが、上記の構成によると、カバーの取り外し時には必要以上に係合用爪が係合用凹部に食い込まないので、カバーの取り外しが容易である。
【発明の効果】
【００２０】
以上説明したように、本発明によれば、カバーを引き剥がすときに、変形防止用突部が変形防止用凹部の内面に当接して係合用爪の係合用凹部に食い込む方向の変形を規制するので、カバーを容易に取り外すことができ、カバーが開けられなかったり、カバーが損傷したりするのを防止することができる。
【図面の簡単な説明】
【００２１】
【図１】本発明の実施形態のカバー取付構造を有する背面キャビネットの分解斜視図である。
【図２】筐体本体からカバーを取り外す様子を示す斜視図であり、（ａ）がカバーの取り外し前を示し、（ｂ）がカバーの取り外し後を示す。
【図３】カバーを示す斜視図である。
【図４】筐体本体を示す斜視図である。
【図５】背面キャビネットを示す正面図である。
【図６】図５のVI−VI線断面図及びその一部拡大断面図である。
【図７】図５のVII−VII線断面図及びその一部拡大断面図である。
【図８】図５のVIII−VIII線断面図及びその一部拡大断面図である。
【図９】従来のカバー構造を示す図６相当図である。
【発明を実施するための形態】
【００２２】
以下、本発明の実施形態を図面に基づいて説明する。
【００２３】
図１及び図２は、本発明の実施形態に係るカバー１０及び筐体本体２０を示す。詳しくは図示しないが、このカバー１０及び筐体本体２０は、例えば、携帯端末としての携帯電話機の背面側を覆う背面キャビネット１を構成するもので、正面側に表示部（図示せず）が設けられるようになっている。
【００２４】
図３に示すように、カバー１０は、弾性を有する四隅が丸められた略矩形板状の樹脂成形品よりなる。例えば、粘りのあるＡＢＳ樹脂が適している。また、図４に示すように、筐体本体２０の一方側には、３Ｄカメラ部２１が設けられ、その近傍に電池としての充電池（図示せず）を収納する正面視矩形状の電池収納部２２が凹陥されている。筐体本体２０は、剛性を必要とするので、例えばポリアミド強化繊維プラスチック等が適している。３Ｄカメラ部２１に合わせてカバー１０の長手方向の一方側に長手方向に沿って幅方向中心にカメラ窓１１等が開口されている。カバー１０は、電池収納部２２に収納された充電池（図示せず）を覆う電池蓋の役割も果たしている。カバー１０のカメラ窓１１と反対側端部の幅方向中心には、引っ掛け部１２が切り欠かれている。この引っ掛け部１２は、カバー１０を引っ掛け部１２側からカメラ窓１１側に向かって筐体本体２０から引き剥がすときに指等を引っ掛けるためのものとなっている。
【００２５】
図３、図６〜図８に示すように、カバー１０は、断面が緩やかに湾曲した形状を有し、カバー１０の幅方向の一対の側辺１３には、複数の（本実施形態では例えば三対の）係合用爪１４が突設されている。各側辺１３に設けた３つの係合用爪１４は、所定の間隔をあけて離散して配置されている。その間隔は特に限定されず、同じ間隔でもよいし、異なっていてもよい。図７に一部拡大して示すように、係合用爪１４（ハッチングで示す）は、側辺１３の互いに向き合う係合方向（図７の水平方向）へ延びる鉤部１４ａを有する。カバー１０の一対の側辺１３には、各係合用爪１４に隣り合わせて長手方向に所定間隔をあけて一対の変形防止用突部１５が突設されている。つまり、カバー１０全体で６対の変形防止用突部１５（ハッチングで示す）が突設されている。図６及び図８にも拡大して示すように、各変形防止用突部１５は、カバー１０の厚さ方向に延びる外側当接面１５ａを有する。
【００２６】
一方、図４に示すように、筐体本体２０には、各係合用爪１４に対応させて３対の係合用凹部２４が凹陥されている。また、筐体本体２０には、各変形防止用突部１５に対応させて合計６対の変形防止用凹部２５が凹陥されている。変形防止用凹部２５は、各係合用凹部２４を挟み込むように変形防止用突部１５に対応させて配置されている。図７に一部拡大して示すように、係合用凹部２４は、係合用爪１４の鉤部１４ａが引っ掛かるように水平方向へ凹陥され、その背面側が角部２４ａに鉤部１４ａが係合することで、落下時等に意図せずカバー１０が開かないようになっている。そして、図６及び図８に一部拡大して示すように、変形防止用凹部２５の幅方向内側には、厚さ方向に延び、外側当接面１５ａに対向する内側当接面２５ａが形成されている。
【００２７】
カバー１０と筐体本体２０とは、外観上表面の高さがそろっており、しかも、鉤部１４ａが係合用凹部２４の角部２４ａにしっかりと係合しているので、カバー１０が比重の高い電池を覆う電池蓋であっても落下時等に容易にカバーが外れることはない。
【００２８】
一方で、引っ掛け部１２に爪を掛けてカバー１０を引き剥がすときには、変形防止用突部１５の外側当接面１５ａが変形防止用凹部２５の内側当接面２５ａに当接して係合用爪１４の係合用凹部２４に食い込む方向の変形を規制するように構成されている。
【００２９】
また、図６及び図７に示すように、カバー１０を筐体本体２０に装着した状態で、鉤部１４ａの先端面１４ｂと係合用凹部２４の内面２４ｂとの隙間ｃ１は、変形防止用突部１５の外側当接面１５ａと変形防止用凹部２５の内側当接面２５ａとの隙間ｃ２よりも広くなっている（ｃ１＜ｃ２）。
【００３０】
−作用−
次に、本実施形態に係る筐体のカバー取付構造の作用について説明する。
（１）比較例
図９に従来の変形防止用突部１５及び変形防止用凹部２５のないカバー１１０及び筐体本体１２０の断面を示す。図９に白抜き矢印で示すように、引っ掛け部１２に爪を掛けて筐体本体１２０から引き剥がす方向に力を加えると、弾性体よりなるカバー１１０の中央部分が撓み、係合用爪１１４が白抜き矢印に示すように係合用凹部１２４へ食い込んでいく。すると、係合用爪１１４及びその周辺が撓んで係合用凹部１２４の角部１２４ａから外れない限り、カバー１１０が取り外せない。このため、カバー１１０が開かなかったり、係合用爪１１４が折れてしまったりするという問題が発生する。
（２）実施例
上記実施形態のカバー取付構造では、上述したように、カバー１０の取付状態において、鉤部１４ａの先端面１４ｂと係合用凹部２４の内面２４ｂとの隙間ｃ１は、変形防止用突部１５の外側当接面１５ａと変形防止用凹部２５の内側当接面２５ａとの隙間ｃ２よりも広くなっている。
【００３１】
そして、図２（ａ）のように引っ掛け部１２に爪を引っ掛けてカバー１０を上向きに取り外そうとすると、上記比較例のようにカバー１０が撓む前に、図６及び図８に示すように、外側当接面１５ａと内側当接面２５ａとが当接し、外側当接面１５ａがさらに幅方向内側へ変形しようとしても、筐体本体２０は剛性の高いポリアミド強化繊維プラスチック等で成形されているので、内側当接面２５ａに押し返されてそれ以上変形することはない。このため比較例のように鉤部１４ａが係合用凹部２４に食い込むことはないので、図２（ｂ）に示すように、カバー１０が容易に取り外される。
【００３２】
したがって、本実施形態に係る筐体のカバー１０取付構造によると、カバー１０を引き剥がすときに、変形防止用突部１５の外側当接面１５ａが変形防止用凹部２５の内側当接面２５ａに当接して係合用爪１４の係合用凹部２４に食い込む方向の変形を規制するので、カバー１０を容易に取り外すことができ、カバー１０が開かなかったり、カバー１０が損傷したりするのを防止することができる。
【００３３】
（その他の実施形態）
本発明は、上記実施形態について、以下のような構成としてもよい。
【００３４】
すなわち、上記実施形態では、カバー１０側に係合用爪１４と変形防止用突部１５とを設けたが、カバー１０側に係合用凹部２４と変形防止用凹部２５とを設け、筐体本体２０側に係合用爪１４と変形防止用突部１５とを設けるようにしてもよい。この場合も、カバー１０を引き剥がすときに、変形防止用凹部２５の内側当接面２５ａが変形防止用突部１５の外側当接面１５ａに当接して係合用凹部２４の上記係合用突部に食い込む方向の変形を規制することができる。
【００３５】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３６】
なお、以上の実施形態は、本質的に好ましい例示であって、本発明、その適用物や用途の範囲を制限することを意図するものではない。
【符号の説明】
【００３７】
１０      カバー
１２      引っ掛け部
１３      側辺
１４      係合用爪
１４ａ    鉤部
１５      変形防止用突部
１５ａ    外側当接面
２０      筐体本体
２４      係合用凹部
２５      変形防止用凹部
２５ａ    内側当接面（内面）
３２      電池収納部
【図１】
2012234944.tif 000003
【図２】
2012234944.tif 000004
【図３】
2012234944.tif 000005
【図４】
2012234944.tif 000006
【図５】
2012234944.tif 000007
【図６】
2012234944.tif 000008
【図７】
2012234944.tif 000009
【図８】
2012234944.tif 000010
【図９】
2012234944.tif 000011